(57)【要約】レジン（３０）を集積回路チップ（１８）に適用するステップを備える方法及びリザーバ（２０）を備える装置である。【選択図】図１
2004525512.tif 000002
【特許請求の範囲】
【請求項１】
フリップチップの相互接続を封止する方法であって、
制限された量の封止用レジンを集積回路チップの相互接続用側部に適用するステップと、
前記ステップの後、基板とチップとを、基板上のボンディングパッドとチップの相互接続用側部上のバンプとのボンディングを助長する状況下にするステップとを備えることを特徴とする方法。
【請求項２】
前記レジンをチップに適用するステップは、
チップの相互接続用側部をレジンのプール内の予め定めた深さまで浸すステップと、
前記ステップの後、レジンプールからチップを引き出すステップとを備えることを特徴とする請求項１に記載の方法。
【請求項３】
前記チップをプールに浸す予め定めた深さは、バンプのスタンドオフ高さと略等しく、これにより、レジンプールの表面はチップの表面に接触し、チップをレジンプールから引き出す際に、所定量のレジンがチップ表面及びチップ表面から突出した特徴部に残存することを特徴とする請求項２に記載の方法。
【請求項４】
前記チップをプールに浸す予め定めた深さは、バンプのスタンドオフ高さよりも小さく、これにより、チップの表面はレジンプールに接触せず、チップをレジンプールから引き出す際に、所定量のレジンがチップ表面から突出した特徴部にのみ残存することを特徴とする請求項２に記載の方法。
【請求項５】
前記レジンをチップに適用するステップは、
底部を具備するリザーバを提供するステップと、
前記リザーバの底部上に前記リザーバ内の浅い深さまでレジンのプールを提供するステップと、
チップ上のバンプがリザーバの底部に接触するまで、チップをレジンプール内に浸すステップと、
レジンプールからチップを引き出すステップとを備えることを特徴とする請求項１に記載の方法。
【請求項６】
前記リザーバの底部上のプールの浅い深さは、バンプのスタンドオフ高さと略等しいことを特徴とする請求項５に記載の方法。
【請求項７】
前記リザーバの底部上のプールの浅い深さは、バンプのスタンドオフ高さよりも小さいことを特徴とする請求項５に記載の方法。
【請求項８】
精度の良い量の封止用レジンを集積回路チップに適用するための装置であって、
底部を具備するリザーバと、
前記リザーバの底部上に封止用レジンのプールを予め定めた深さまで供給するための手段とを備えることを特徴とする装置。
【請求項９】
前記リザーバは、チップ上のバンプのスタンドオフ高さに略等しい予め定めた深さを有するプールを収容するのに十分な深さを少なくとも有することを特徴とする請求項８に記載の装置。
【請求項１０】
前記レジンプールを供給するための手段は、測定された量のレジンをリザーバに供給する手段を備えることを特徴とする請求項８に記載の装置。
【請求項１１】
前記レジンプールを供給するための手段は、過度のレジンをリザーバに供給する手段と、当該過度分を取り除く手段とを備えることを特徴とする請求項８に記載の装置。
【発明の詳細な説明】
【技術分野】
【０００１】
本発明は、半導体デバイスのパッケージング、特にフリップチップパッケージに関する。
【背景技術】
【０００２】
フリップチップパッケージは、集積回路チップ上に搭載された相互接続バンプによってパッケージ基板に接続された集積回路チップを含んでいる。相互接続バンプは、基板上の金属製接触パッドの配置と対応するように配置されている。パッケージを組み立てる際、対応するバンプとパッドとが位置合わせされた状態で、チップと基板とが並べられる。その後、チップと基板とは、互いに、金属製パッド上にバンプをボンディングすることを助長する状況下に置かれる。
【０００３】
従来より、フリップチップデバイスは、チップとの基板との間の相互接続の信頼性を改善するために封止される。斯かる封止は、通常、２つのアプローチの内の１つを用いて実施される。
【０００４】
「アンダーフィル（under filling）」として一般に知られている第１のアプローチにおいて、封止はチップと基板との間の相互接続を形成した後に実施される。斯かる封止は、チップの外縁近傍における基板内のチップ間の隙間に封止用レジンを供給し、当該レジンがキャピラリ（capillary）の動作によってチップと基板との間の隙間に移動することを許容することによって実施される。このアプローチは、高い処理コストを必要とする。なぜならば、アンダーフィルプロセスは、時間が掛かり、高い処理能力を達成することができないからである。さらに、供給するレジンビードを各チップの縁部に収容するべく、隣接するデバイス間に著しいスペースを提供する必要もある。隣接するデバイス間に余分なスペースを必要とすることは、高密度用途における基板の利用を制限することになる。
【０００５】
第２のアプローチにおいては、パッケージの組み立てを行う前に、多量の封止用レジンが基板表面に適用される。次に、チップと基板とが共に組み立てプロセスに運ばれ、パッド上に横たわる任意の封止用レジンが、取り付けプロセスにおいて、パッドに対するバンプの押圧力によって移動する。この技術は、チップの縁部から横方向とチップの側壁に沿った垂直方向とにレジンが流出（bleed-out）する影響を受けやすい。チップの縁部からの流出は、隣接するデバイス間に余分なスペースを必要とし、基板の利用を制限することになる。また、垂直方向の流出は、レジンがチップの背面に到達し、時には、ダイを操作するのに用いられるボンディングツールの汚れを招く結果となる。斯かる流出は、製造プロセスを破壊するため望ましくない。さらに、デバイスを取り付ける際に必要とされる熱運動（thermal excursion）が、隣接するサイト（site）に適用されるレジンの部分的な硬化を生じさせ、これによって、隣接するデバイスの相互接続の品質に悪影響を及ぼす可能性がある。さらに、表面にディスペンサーにより供給することによって或いはスクリーン印刷することによって適用されるレジン材料の薄さには実質的な下限が存在する。斯かる下限は、一部の小さな寸法のフリップチップパッケージにおいて好ましいバンプのスタンドオフ高さ（典型的には、例えば、ボンディング前で約５０〜７０μｍであり、ボンディング後に約２５〜３０μｍである）よりも一般的に大きい（時には２倍又は３倍の大きさであり、ディスペンサーによって供給する場合に約１００μｍで、スクリーン印刷する場合に約５０μｍである）。
【０００６】
これらのアプローチは共に、レジン材料を適用するための専用のユニットプロセスを必要とし、通常、ユニットプロセスのための専用の設備を必要とし、プロセス全体の人件費及び資本償却費の双方を増すものである。
【発明の開示】
【課題を解決するための手段】
【０００７】
本発明は、フリップチップの相互接続（interconnects）を封止するための改善された方法を提供する。本発明に係る方法によれば、制限された量の封止用レジンがチップの相互接続用側部に適用され、この後、基板とチップとが、対応するバンプとパッドとが位置合わせされた状態で配置され、さらに、チップと基板とが共に、金属製のパッド上へのバンプのボンディングを助長する状況下にされる。レジンは、種々の方法の内の何れを用いてチップの相互接続用側部に適用しても良い。しかしながら、本発明の発明者は、チップの相互接続用側部をレジンのプール内の予め定めた深さまで浸し、その後、レジンプールからチップを引き出すことにより、定義された量のレジンを都合良く且つ信頼性高く選択してチップに適用できることを見出した。チップをレジンプールに浸す予め定めた深さによって精度良く定義される多量のレジンは、チップがレジンプールから引き出され、組み立てのために基板に運ばれる際に、チップの浸された部分に残存する。最も都合良く且つ信頼性を高くするため、リザーバ内の浅い深さまでレジンのプールが提供され、リザーバの底部にバンプが接触するように、チップがリザーバ内のレジンのプールに浸される。その結果、予め定められたレジンプールの浅い深さは、チップがプールから引き出される際に、チップの浸された部分に残存するレジンの量を決定する。
【０００８】
従って、一つの一般的側面において、本発明は、制限された量の封止用レジンを集積回路チップの相互接続用側部に適用し、その後、基板とチップとを、基板上のボンディングパッドとチップの相互接続用側部上のバンプとのボンディングを助長する状況下にすることにより、フリップチップの相互接続を封止する方法を特徴とする。
【０００９】
所定の実施形態において、前記レジンをチップに適用するステップは、チップの相互接続用側部をレジンのプール内の予め定めた深さまで浸すステップと、前記ステップの後、レジンプールからチップを引き出すステップとを備える。所定の実施形態において、前記チップをプールに浸す予め定めた深さは、バンプ表面とチップ表面との間のスタンドオフ高さと略等しく、これにより、レジンプールの表面はチップの表面に接触し、チップをレジンプールから引き出す際に、所定量のレジンがチップ表面及びチップ表面から突出した特徴部に残存する。或いは、前記チップをプールに浸す予め定めた深さは、スタンドオフ高さよりも若干小さく、これにより、チップの表面はレジンプールに接触せず、チップをレジンプールから引き出す際に、所定量のレジンがチップ表面から突出した特徴部（バンプ又はバンプの一部）にのみ残存する。
【００１０】
所定の実施形態において、前記レジンをチップに適用するステップは、底部を具備するリザーバを提供するステップと、前記リザーバの底部上に前記リザーバ内の浅い深さまでレジンのプールを提供するステップと、バンプがリザーバの底部に接触するまで、チップをレジンプール内に浸すステップと、レジンプールからチップを引き出すステップとを備える。このような所定の実施形態において、前記リザーバの底部上のプールの浅い深さは、バンプ表面とチップ表面との間のスタンドオフ高さと略等しいか、或いは、スタンドオフ高さよりも若干小さくされる。
【００１１】
他の一般的側面において、本発明は、精度の良い量の封止用レジンをチップに適用するための装置であって、底部を具備するリザーバと、前記リザーバの底部上に封止用レジンのプールを予め定めた深さまで供給するための手段とを備える装置を特徴とする。所定の実施形態において、前記リザーバは、チップ上のバンプのスタンドオフ高さに略等しい予め定めた深さを有するプールを収容するのに十分な深さを少なくとも有する。所定の実施形態において、前記レジンプールを供給するための手段は、測定された量のレジンをリザーバに供給する手段を備える。所定の実施形態において、前記レジンプールを供給するための手段は、過度のレジンをリザーバに供給する手段と、当該過度分を取り除くためのドクター（doctor）のような手段とを備える。このような実施形態において、プールの予め定めた深さは、リザーバ自体の深さによって規定される。
【００１２】
本発明に係る方法の利点は、レジンのパターンがチップに対して自動的に位置合わせされるということであり、これにより、本発明によれば、供給パターン（dispense pattern）と、基板上のフリップチップのフットプリントパターンとの位置合わせを要しなくなる。さらに、本発明によれば、レジンが、レジンの適用が最も所望されるチップの相互接続用側部の一部、すなわち、バンプ周辺に優先的に適用される。
【００１３】
レジンリザーバは、現存するチップ取付設備に容易に結合できるため、本発明によってレジンを適用するための特化された又は専用の設備やプロセスを必要としない。
【発明を実施するための最良の形態】
【００１４】
以下、本発明の実施形態を図示した添付図面を参照しつつ、本発明についてより詳細に説明する。図面は、本発明の特徴、他の特徴との関係及び構造を示す概略図であり、拡大縮小していない。説明をより明瞭にするため、本発明に係る方法における各段階を示す図において、他の図に示された要素に対応する要素には、図において全て容易に識別可能であるにも関わらず、特に改めて符号を付け直ししているとは限らない。
【００１５】
先ず、図１に示すように、支持体２２に形成され、広く符号２０で示すリザーバと、慣用的なツール１２によって保持され、広く符号１０で示す集積回路チップ１０とが存在する。リザーバ２８は、リザーバの底部２４と側部２６とで区画されている。リザーバの深さは、符号２７で示されており、ここでのリザーバは、ほぼその全深までレジンプール３０を形成する封止用レジンが充填された状態を図示している。集積回路チップ１０は、チップ表面１７の相互接続用サイト（図示せず）に取り付けられた相互接続用バンプ１６を具備する半導体ダイ１８を備えている。バンプのスタンドオフ高さは符号１５で示している。図示せぬ他の特徴を共に具備するチップ表面１７及び相互接続用バンプ１６は、チップの相互接続用側部１４を構成する。図１において、ツール１２は、チップの相互接続用側部１４をレジンプール３０内に浸すべく、リザーバ２０に向けて移動する（図２において矢符１１で示す方向）準備がなされている。
【００１６】
図２は、チップ１０がレジンプール３０内に浸された状態を示す。バンプ１６は、リザーバの底部２８に接触する状態とされ、これにより、プールの深さは、チップの相互接続用側部がプールに浸される深さで定義される。図１及び図２において、プールの深さは、リザーバの深さ２７よりも僅かに小さく図示されており、プールの深さは、バンプのスタンドオフ高さ１５よりも幾分小さく図示されている。その結果、ここに図示した例では、レジンプールの表面３２は、チップ表面１７に接触せず、これにより、チップをプールから引き出した際に、バンプにのみレジンが残存することを期待できる。
【００１７】
図３は、チップ１０がレジンプールから引き出された状態を示す。図３において、レジン塊（resin mass）３４は、半導体ダイのバンプ１６のみならず表面１７上にも到達しており、図３に示すチップの相互接続用側部は、図２に示すレジンプールよりも深く浸されたことは明らかである。理解されるように、チップがレジンプールから引き出された後において、チップによって運ばれるレジン塊におけるレジンの量は、プール内でレジンと接触するチップの範囲のみならず、チップの種々の特徴の内の表面特性（例えば、レジンによる濡れ性）や、レジン自体の特性（例えば、粘性）に依存する。所望する特定の封止形態をもたらすべく、特定のチップを特定のレジン組成に浸すのに所望される所定の深さは、過度の実験を必要とすることなく、容易に決定することができる。図３は、金属製の相互接続用パッド４２を具備するパッケージ基板４０も示している。パッド４２は、チップ上のバンプの配置を補完する配置とされており、ツール１２は、対応するバンプとパッドとが位置合わせされた状態で、基板と対向するようにチップを保持している。図３において、ツールは、チップと基板とを互いに例えば図４に示すような状態にする準備がなされている。
【００１８】
図４において、レジン塊３６は、チップと基板との間で押圧され、チップの相互接続用側部や基板の種々の特徴によって移動し、過度の流出を伴うことなく、ダイと基板との隙間の縁部において所望する「フィレット（fillet）」を形成する。その後、ツール１２はダイから離間し、封止用レジンが硬化して、図５に示すように、パッケージ５０の完全な封止３８が形成される。スタンドオフ高さを低減するべく、取り付け操作における幾つかのバンプの変形を期待することができる。これは、レジンをさらに押圧し、基板表面上の回路パターンによって形成されたり、チップの相互接続用側部の特徴によって形成される隆起（asperities）内に押し付けることにより、改善された封止品位をもたらすことができる。
【図面の簡単な説明】
【００１９】
【図１】図１は、本発明に係る方法の実施形態における一の段階を図示し、部分的に断面で図示する概略図である。
【図２】図２は、本発明に係る方法の実施形態における他の段階を図示し、部分的に断面で図示する概略図である。
【図３】図３は、本発明に係る方法の実施形態における他の段階を図示し、部分的に断面で図示する概略図である。
【図４】図４は、本発明に係る方法の実施形態における他の段階を図示し、部分的に断面で図示する概略図である。
【図５】図５は、本発明に係る方法の実施形態における他の段階を図示し、部分的に断面で図示する概略図である。
【図１】
2004525512.tif 000003
【図２】
2004525512.tif 000004
【図３】
2004525512.tif 000005
【図４】
2004525512.tif 000006
【図５】
2004525512.tif 000007
【国際公開パンフレット】
2004525512.tif 000008
2004525512.tif 000009
2004525512.tif 000010
2004525512.tif 000011
2004525512.tif 000012
2004525512.tif 000013
2004525512.tif 000014
2004525512.tif 000015
2004525512.tif 000016
【国際調査報告】
2004525512.tif 000017